(57)【要約】【課題】ユーザが容易に扱うことができ、且つフレキシブルディスプレイに要求される曲げ耐性を容易に確保できる。【解決手段】表示装置１は、フレキシブルディスプレイ１１、保持部１２等を備え、フレキシブルディスプレイ１１による表示を行う。表示装置１は、中央部の折り位置Ａを中心としてその両側の部分を開くことができ、また折り位置Ａの両側の部分を折り位置Ａで折り畳んで閉じることができる。折り位置Ａの両側の部分は、フレキシブルディスプレイ１１を含み、可とう性を有する。フレキシブルディスプレイ１１の非表示領域１１１ｂは、折り位置Ａの近傍の領域であり、表示領域１１１ａは折り位置Ａの両側の部分にある。表示領域１１１ａは、通常のフレキシブルディスプレイと同様、表示素子とこれに電圧を印加するための電気回路（電極）等を有し、表示が行われるが、非表示領域１１１ｂは表示素子を有さず、表示は行われない。【選択図】図２
2017187669.tif 000002
【特許請求の範囲】
【請求項１】
フレキシブルディスプレイによる表示を行う表示装置であって、
折り位置の両側の部分を開くこと、および折り位置の両側の部分を折り位置で折り畳んで閉じることが可能であり、
前記フレキシブルディスプレイを保持する保持部を備え、
前記折り位置の両側の部分は、前記フレキシブルディスプレイを含み、可とう性を有するものであり、
前記折り位置の近傍では前記フレキシブルディスプレイによる表示が行われず、前記折り位置の両側の部分で前記フレキシブルディスプレイによる表示が行われることを特徴とする表示装置。
【請求項２】
前記保持部は、前記折り位置の近傍および前記折り位置の両側の部分に渡って設けられ、可とう性を有することを特徴とする請求項１記載の表示装置。
【請求項３】
前記保持部は、前記折り位置の近傍のみに設けられることを特徴とする請求項１記載の表示装置。
【請求項４】
前記フレキシブルディスプレイが、前記折り位置の近傍および前記折り位置の両側の部分に渡って設けられ、前記折り位置の近傍を除く領域に表示素子を有するものであることを特徴とする請求項１から請求項３のいずれかに記載の表示装置。
【請求項５】
前記フレキシブルディスプレイは、前記折り位置の近傍でループ部分を形成して前記保持部で保持されることを特徴とする請求項４記載の表示装置。
【請求項６】
前記フレキシブルディスプレイは、前記折り位置の両側の部分で前記保持部上に設けられ、前記折り位置の近傍には設けられないことを特徴とする請求項１または請求項２記載の表示装置。
【請求項７】
前記表示装置の前記折り位置の両側の部分に表示されるコンテンツのページを進めるか、あるいは前記ページを戻すためのページ送り部が前記表示装置の両側端部に設けられることを特徴とする請求項１または請求項２に記載の表示装置。
【請求項８】
前記ページ送り部はボタンであることを特徴とする請求項７記載の表示装置。
【請求項９】
前記ページ送り部はタッチパネルであることを特徴とする請求項７記載の表示装置。
【請求項１０】
前記タッチパネルをなぞることにより、前記ページが進められるか、あるいは前記ページが戻されることを特徴とする請求項９記載の表示装置。
【請求項１１】
前記ページ送り部は、前記保持部に設けられた、前記フレキシブルディスプレイの接触を検知するセンサであることを特徴とする請求項７記載の表示装置。
【請求項１２】
前記保持部において、前記フレキシブルディスプレイを設けた面とは反対側の面に、別のフレキシブルディスプレイが設けられることを特徴とする請求項１または請求項２に記載の表示装置。
【請求項１３】
前記別のフレキシブルディスプレイに、前記フレキシブルディスプレイにおいて表示するコンテンツの表紙画像が表示されることを特徴とする請求項１２記載の表示装置。
【請求項１４】
前記フレキシブルディスプレイに表示していたコンテンツのページを記憶することを特徴とする請求項１から請求項１３のいずれかに記載の表示装置。
【請求項１５】
前記表示装置に設けられた紐状体を前記表示装置上に載置することにより、前記ページの記憶が行われることを特徴とする請求項１４記載の表示装置。
【請求項１６】
前記表示装置に設けられたシートを前記表示装置上に載置することにより、前記ページの記憶が行われることを特徴とする請求項１４記載の表示装置。
【請求項１７】
請求項１から請求項１６のいずれかに記載の表示装置と、
前記フレキシブルディスプレイに表示するコンテンツを記憶し、前記表示装置への操作入力を受付ける携帯端末と、
を有することを特徴とする表示システム。
【発明の詳細な説明】
【技術分野】
【０００１】
本発明は、フレキシブルディスプレイを用いた表示装置および表示システムに関する。
【背景技術】
【０００２】
現在、折り曲げて使用できるフレキシブルディスプレイが種々開発されており、表示装置の用途、使用方法の可能性を拡げるものとして期待されている。
【０００３】
特許文献１、２には、このようなフレキシブルディスプレイを用いた表示装置の例が開示されている。例えば特許文献１には、一対の筐体を開けばフレキシブルディスプレイが展開され、これらの筐体を折り畳んで閉じればフレキシブルディスプレイが一方の筐体に収納されるものが記載されている。また特許文献２には、フレキシブルディスプレイを折り曲げた状態で表示する状態と、フレキシブルディスプレイを折り曲げないで広げた状態で表示する状態とに切り替え可能な表示装置が記載されている。
【先行技術文献】
【特許文献】
【０００４】
【特許文献１】特開2014-225011号公報
【特許文献２】特開2015-62059号公報
【発明の概要】
【発明が解決しようとする課題】
【０００５】
フレキシブルディスプレイを用いた表示装置としては、フレキシブルディスプレイの特性を生かし、ユーザがより容易に扱えるようなものとすることが望ましい。
【０００６】
ただし、現状のフレキシブルディスプレイは全面が表示領域となっており、折り位置近傍では表示素子の高い曲げ耐性が要求されるので、フレキシブルディスプレイの各層の膜厚・密着性・柔軟性・ひび割れやすさなどの要求性能を実現するのが難しく、これによってフレキシブルディスプレイの用途、使用方法が制限される点もある。
【０００７】
本発明は上記の問題に鑑みてなされたものであり、ユーザが容易に扱うことができ、且つフレキシブルディスプレイに要求される曲げ耐性を容易に確保できる表示装置等を提供することを目的とする。
【課題を解決するための手段】
【０００８】
前述した課題を解決するための第１の発明は、フレキシブルディスプレイによる表示を行う表示装置であって、折り位置の両側の部分を開くこと、および折り位置の両側の部分を折り位置で折り畳んで閉じることが可能であり、前記フレキシブルディスプレイを保持する保持部を備え、前記折り位置の両側の部分は、前記フレキシブルディスプレイを含み、可とう性を有するものであり、前記折り位置の近傍では前記フレキシブルディスプレイによる表示が行われず、前記折り位置の両側の部分で前記フレキシブルディスプレイによる表示が行われることを特徴とする表示装置である。
【０００９】
本発明では、表示装置の折り位置の両側の部分を開くこと、および折り位置の両側の部分を折り位置で折り畳んで閉じることが可能であり、また折り位置の両側の部分はフレキシブルディスプレイを含み、可とう性を有するので、フレキシブルディスプレイの特性を生かし、表示装置を本や冊子のように容易に扱うことができ、コンテンツも読みやすい。表示装置は折り畳むことにより省スペースとなり、モバイル性にも優れている。
【００１０】
また、本・新聞・雑誌・漫画などのような電子書籍のコンテンツを表示するのであれば、２つのページの間にはそれらのコンテンツが表示されない領域が存在する。そこで、折り位置の近傍を非表示領域とし、非表示領域を除く折り位置の両側の部分でのみこれらのページの表示を行うようにすれば、折り位置の近傍をフレキシブルディスプレイにおいて表示素子を設けない部分としたり、折り位置の近傍でフレキシブルディスプレイ自体の配置を省略したりすることにより、フレキシブルディスプレイに必要な曲げ耐性を確保するのが容易になる。また本・新聞・雑誌・漫画などのような電子書籍をコンテンツとして表示しても違和感がない。
【００１１】
前記保持部は、前記折り位置の近傍および前記折り位置の両側の部分に渡って設けられ、可とう性を有することが望ましい。あるいは、前記保持部は、前記折り位置の近傍のみに設けられてもよい。
前者の場合、表示装置に本のような厚みと柔軟性を持たせることができ、ユーザは表示装置を本のように容易に扱うことができる。後者の場合、表示装置全体がパンフレット等の冊子のようにシンプルな薄厚の構成となる。また保持部は可とう性を有していなくともよい。
【００１２】
前記フレキシブルディスプレイが、前記折り位置の近傍および前記折り位置の両側の部分に渡って設けられ、前記折り位置の近傍を除く領域に表示素子を有するものであることが望ましい。
これにより、折り位置の両側の２つのページの表示を１枚のフレキシブルディスプレイで行うことができる。また折り位置の近傍を表示素子を設けない部分とすることで、その構成が簡単になり、フレキシブルディスプレイに必要な曲げ耐性を容易に確保できる。
【００１３】
前記フレキシブルディスプレイは、前記折り位置の近傍でループ部分を形成して前記保持部で保持されることが望ましい。
このように、フレキシブルディスプレイが折り位置の近傍でループ部分を形成して保持部で保持されることで、曲率半径が大きくなるのでフレキシブルディスプレイに高い曲げ耐性が要求されず、必要な曲げ耐性を容易に確保できる。
【００１４】
前記フレキシブルディスプレイは、前記折り位置の両側の部分で前記保持部上に設けられ、前記折り位置の近傍には設けられないことも望ましい。
このように、フレキシブルディスプレイ自体を折り位置を避けて設けることで、フレキシブルディスプレイに要求される曲げ耐性は低くなり、従来と同様の材料を用いて必要な曲げ耐性を確保でき、生産設計が容易になる。
【００１５】
また、前記表示装置の前記折り位置の両側の部分に表示されるコンテンツのページを進めるか、あるいは前記ページを戻すためのページ送り部が前記表示装置の両側端部に設けられることが望ましい。
係る構成により、ユーザは、表示装置のいずれかの側端部のページ送り部に触れて操作を行うことで、実際の本においてページをめくってページを進めたり戻したりするのと近い操作で、表示装置において容易にページを進めたり、戻したりすることができる。
【００１６】
前記ページ送り部は、例えばボタンである。あるいは前記ページ送り部はタッチパネルであってもよく、例えば前記タッチパネルをなぞることにより、前記ページが進められるか、あるいは前記ページが戻される。もしくは、前記ページ送り部は、前記保持部に設けられた、前記フレキシブルディスプレイの接触を検知するセンサであってもよい。
このように、ページ送り部はボタン、タッチパネル、センサなど各種の構成とすることができ、いずれの場合も、実際の本においてページをめくるのと近い操作ができる。どのような構成とするかは操作性などを勘案して適宜定めることができる。
【００１７】
また、前記保持部において、前記フレキシブルディスプレイを設けた面とは反対側の面に、別のフレキシブルディスプレイが設けられることが望ましい。前記別のフレキシブルディスプレイには、例えば前記フレキシブルディスプレイにおいて表示するコンテンツの表紙画像が表示される。
これにより、表示装置において、実際の本のようにコンテンツの表紙画像等を表示させることができる。
【００１８】
第１の発明の表示装置は、前記フレキシブルディスプレイに表示していたコンテンツのページを記憶することが望ましい。
これにより、再度同じコンテンツを表示させるときに、記憶したページから読み進めることができる。
【００１９】
例えば前記表示装置に設けられた紐状体を前記表示装置上に載置することにより、前記ページの記憶が行われる。あるいは、前記表示装置に設けられたシートを前記表示装置上に載置することにより、前記ページの記憶が行われるようにしてもよい。
このように、しおりのように紐状体を用いてページの記憶を行ったり、ブックカバーのようにシートを用いてページの記憶を行ったりすることができ、いずれの場合も、ページをどこまで読み進んでいたかの記憶を実際の本のように行うことができる。どのような構成とするかは操作性などを勘案して適宜定めることができる。
【００２０】
第２の発明は、第１の発明の表示装置と、前記フレキシブルディスプレイに表示するコンテンツを記憶し、前記表示装置への操作入力を受付ける携帯端末と、を有することを特徴とする表示システムである。
これにより、表示装置の操作入力、コンテンツの記憶等が携帯端末によってできるようになり、表示装置の構成を簡単なものとできる。
【発明の効果】
【００２１】
本発明により、ユーザが容易に扱うことができ、且つフレキシブルディスプレイに要求される曲げ耐性を容易に確保できる表示装置等を提供することができる。
【図面の簡単な説明】
【００２２】
【図１】表示装置１を示す図
【図２】表示装置１を示す図
【図３】表示装置１によるコンテンツの表示について示す図
【図４】表示装置１ａ、１ａ’、１ａ”を示す図
【図５】表示装置１ｂを示す図
【図６】表示装置１ｂ’、１ｂ”を示す図
【図７】表示装置１ｃ、１ｃ’を示す図
【図８】表示装置１ｄを示す図
【図９】表示装置１ｄ’を示す図
【図１０】表示装置１ｅ、１ｅ’、１ｅ”を示す図
【図１１】表示システム１０を示す図
【発明を実施するための形態】
【００２３】
以下、図面に基づいて本発明の好適な実施形態について詳細に説明する。
【００２４】
［第１の実施形態］
図１は本発明の第１の実施形態に係る表示装置１を示す図である。図１に示すように、本実施形態に係る表示装置１は、フレキシブルディスプレイ１１、保持部１２等を備え、保持部１２によって保持したフレキシブルディスプレイ１１による表示を行うものである。
【００２５】
なお、表示装置１の保持部１２内には、フレキシブルディスプレイ１１の表示制御を行ったり、フレキシブルディスプレイ１１に表示するコンテンツ等を記憶したりする図示しないコントローラ（制御部）が設けられる。図示は省略するが、表示装置１では、表示装置１に対し操作入力を行うための操作入力部も必要に応じて設けられる。操作入力部は、例えばフレキシブルディスプレイ１１に設けたタッチパネルや、フレキシブルディスプレイ１１とは別に設けたボタン等により実現できる。
【００２６】
表示装置１は、中央部の折り位置Ａを中心としてその両側の部分を開くことができ、また折り位置Ａの両側の部分を折り位置Ａで折り畳んで閉じることができる。折り位置Ａの両側の部分は、フレキシブルディスプレイ１１を含み、可とう性を有する。図１に示すように折り位置Ａの両側の部分を開いた状態では、これらの部分が上方に凸となるように屈曲し、折り位置Ａの近傍において向かい合った状態で配置される。
【００２７】
図２は表示装置１を示す図である。図２（ａ）は図１の折り位置Ａに沿った方向から表示装置１の端面を見た図であり、図２（ｂ）は表示装置１の上面を見た図である。また図２（ｃ）は表示装置１を閉じた状態を図２（ａ）と同様の端面で示す図である。なお、表示装置１の上面とは、表示装置１においてフレキシブルディスプレイ１１が設けられた面をいうものとする。
【００２８】
フレキシブルディスプレイ１１は、可とう性を有する１枚の面状のディスプレイであり、表示装置１の折り位置Ａの近傍、および折り位置Ａの両側の部分に渡って連続して設けられる。本実施形態では、フレキシブルディスプレイ１１が有機EL(electro luminescence)ディスプレイであるものとする。ただし、フレキシブルディスプレイ１１はこれに限らず、電子ペーパーなどであってもよい。
【００２９】
図２（ｂ）に示すように、フレキシブルディスプレイ１１は、表示部１１１と加飾部１１２を備える。表示部１１１は、フレキシブルディスプレイ１１において表示を行う部分である。加飾部１１２は、表示部１１１の周囲に設けられる枠状の部分である。
【００３０】
本実施形態において、表示部１１１は表示領域１１１ａと非表示領域１１１ｂに分かれている。非表示領域１１１ｂは、折り位置Ａの近傍の折り位置Ａに沿った領域であり、表示領域１１１ａは、非表示領域１１１ｂを除く、折り位置Ａの両側の部分にある。
【００３１】
フレキシブルディスプレイ１１の表示領域１１１ａは、通常のフレキシブルディスプレイと同様、表示素子とこれに電圧を印加するための電気回路（電極）等を有し、表示が行われる。ここで、表示素子とはフレキシブルディスプレイ１１において表示を行うための画素（素子）をいうものとし、画素の状態は表示に応じて変化する。表示素子は、例えば有機ELディスプレイの場合、電圧の印加により発光する有機化合物を少なくとも有している。
【００３２】
一方、非表示領域１１１ｂは表示素子を有さず、左右の表示領域１１１ａの間を接続する必要最小限の電気回路のみ形成され、表示は行われないようになっている。
【００３３】
保持部１２は、フレキシブルディスプレイ１１を配置して保持するものであり、そのため適度な強度と可とう性を有し、少なくともフレキシブルディスプレイ１１よりも厚みのあるウレタン等の樹脂やゴムが用いられる。
【００３４】
保持部１２は、折り位置Ａの近傍および折り位置Ａの両側の部分に渡って連続して設けられる。本実施形態では、フレキシブルディスプレイ１１の全面が保持部１２上に設けられ、これが保持される。
【００３５】
これにより、表示装置１の使用時に折り位置Ａの両側の部分を開いた際、折り位置Ａの両側の部分が、本のように上方に凸となるように屈曲した状態で保持される。一方、表示装置１の非使用時は、折り位置Ａの両側の部分を図２（ｃ）に示すように折り位置Ａで折り畳んで閉じることができ、この際、折り位置Ａの両側の部分は直線状となりスペースはとらない。
【００３６】
本実施形態では、図３（ａ）、（ｂ）に示すように、非表示領域１１１ｂの両側の表示領域１１１ａに本、新聞、雑誌、漫画等のような電子書籍のコンテンツを１ページずつ表示することができる。非表示領域１１１ｂは、これらのページの間の表示が行われない部分に対応する。図３（ａ）は横書きの例であり、左から右へとページを進めてゆく。一方、図３（ｂ）は縦書きの例であり、右から左へとページを進めてゆく。なお、図の例では、ページが進む方向あるいはページが戻る方向を、フレキシブルディスプレイ１１に矢印などの図柄や文字（「次ページ」や「前ページ」）等により表示させている。なお、表示領域１１１ａでは、コンテンツのページのほか、表示するコンテンツの選択等を行う操作画面も必要に応じて表示される。
【００３７】
以上説明したように、本実施形態では、表示装置１の折り位置Ａの両側の部分を開くこと、および折り位置Ａの両側の部分を折り位置Ａで折り畳んで閉じることが可能であり、また折り位置Ａの両側の部分はフレキシブルディスプレイ１１を含み、可とう性を有するので、フレキシブルディスプレイ１１の特性を生かし、表示装置を本や冊子のように容易に扱うことができ、コンテンツも読みやすい。また表示装置１は折り位置Ａの両側の部分を折り畳むことにより省スペースとなり、モバイル性にも優れている。
【００３８】
また、本・新聞・雑誌・漫画などのような電子書籍のコンテンツを表示するのであれば、２つのページの間にはそれらのコンテンツが表示されない部分が存在する。そこで、折り位置Ａの近傍を非表示領域１１１ｂとし、非表示領域１１１ｂを除く折り位置Ａの両側の部分（表示領域１１１ａ）でのみ表示を行うようにすれば、折り位置Ａの近傍をフレキシブルディスプレイ１１において表示素子を設けない部分とすることで、その構成が簡単になり、フレキシブルディスプレイ１１に必要な曲げ耐性を容易に確保できる。また上記のような電子書籍のコンテンツを表示しても違和感が生じない。
【００３９】
また、本実施形態では、保持部１２が、折り位置Ａの近傍および折り位置Ａの両側の部分に渡って設けられ、可とう性を有するので、表示装置１が本のような厚みと柔軟性を有し、ユーザが見やすく、持ちやすいように変形できるので、表示装置１を本のように容易に扱うことができる。
【００４０】
さらに、フレキシブルディスプレイ１１は、折り位置Ａの近傍および折り位置Ａの両側の部分に渡って設けられた１枚の面状のものなので、折り位置Ａの両側の２つのページの表示を１枚のフレキシブルディスプレイ１１で行うことができ、生産性も高い。また前記のように折り位置Ａの近傍の非表示領域１１１ｂを表示素子を設けない部分とすることで、フレキシブルディスプレイ１１に必要な曲げ耐性を容易に確保でき生産設計も容易である。
【００４１】
しかしながら、本発明はこれに限らない。以下、本発明の別の例について第２〜第７の実施形態として説明する。各実施形態はそれまでに説明した実施形態と異なる点について主に説明し、同様の点については図等で同じ符号を付すなどして説明を省略する。また、第１の実施形態も含め、各実施形態で説明する構成は必要に応じて組み合わせることができる。
【００４２】
［第２の実施形態］
第２の実施形態として、表示装置の折り位置Ａの両側の部分に表示されるページを進めたり、戻したりするためのページ送り部を設ける例を説明する。
【００４３】
図４（ａ）の表示装置１ａは、上記のページ送り部として、表示装置１ａの両側端部において、保持部１２の上面のフレキシブルディスプレイ１１を避けた位置にボタン１３が設けられる。
【００４４】
ユーザは一方のボタン１３を押下することによりページを進めることができ、他方のボタン１３を押下することによりページを戻すことができる。ユーザは、表示装置１ａのいずれかの側端部のボタン１３に触れて操作を行うことで、実際の本においてページをめくってページを進めたり戻したりするのと近い操作で、表示装置１ａの折り位置Ａの両側の部分に表示されるページを進めたり、戻したりすることができる。
【００４５】
図４（ｂ）の表示装置１ａ’では、上記のページ送り部として、表示装置１ａ’の両側端部において、保持部１２の側面にタッチパネル１３ａが設けられる。この例ではタッチパネル１３ａを指Ｆでなぞる操作（スワイプ）を行うことにより、ページを進めたり戻したりすることができ、本のページをめくるのにより近い操作となる。また、タッチパネル１３ａをなぞる長さに応じて一度に進めたり戻したりするページ数を変化させることも可能である。例えばタッチパネル１３ａをなぞる長さがより大きいときに、より多くのページを一度に進めたり戻したりする。なお、フレキシブルディスプレイ１１に設けたタッチパネルに対し同様の操作を行うことによりページを進めたり戻したりすることも可能である。
【００４６】
図４（ｃ）の表示装置１ａ”では、表示装置１ａ”の両側端部において、保持部１２とフレキシブルディスプレイ１１の間に隙間があり、この隙間部分で、上記のページ送り部として、フレキシブルディスプレイ１１の接触を検知する圧力センサなどのセンサ１３ｂが保持部１２に設けられる。この例では、指Ｆ等でフレキシブルディスプレイ１１の側端部を上から押し、当該側端部を矢印に示すように曲げてセンサ１３ｂに接触させ、その後、指Ｆを離して当該側端部をセンサ１３ｂから離すことにより、ページを進めたり戻したりすることができ、この場合も本のページをめくるのにより近い操作となる。
【００４７】
なお、これらの例において、図３（ａ）に示すように左から右にページを進めるコンテンツの場合、右側のボタン１３やタッチパネル１３ａ、センサ１３ｂによる操作を行うとページが進み、左側のボタン１３やタッチパネル１３ａ、センサ１３ｂによる操作を行うとページが戻るようにしておくのが望ましい。一方、図３（ｂ）に示すように右から左にページを進めるコンテンツの場合、左側のボタン１３やタッチパネル１３ａ、センサ１３ｂによる操作を行うとページが進み、右側のボタン１３やタッチパネル１３ａ、センサ１３ｂによる操作を行うとページが戻るようにしておくのが望ましい。これにより、本のページをめくってページを進めたり戻したりするのにより近い操作とできる。
【００４８】
このように、ページ送り部はボタン１３、タッチパネル１３ａ、センサ１３ｂなど各種の構成とすることができ、いずれの場合も、表示装置のいずれかの側端部に触れて操作を行うことで、実際の本においてページをめくってページを進めたり戻したりするのと近い操作ができる。どのような構成とするかは操作性などを勘案して適宜定めることができる。また、ページを進めたり戻したりする際に、現在表示しているページがめくられる様子を表したアニメーションを表示領域１１１ａに表示することもできる。
【００４９】
［第３の実施形態］
第３の実施形態として、フレキシブルディスプレイの配置が異なる例について図５を参照して説明する。図５は表示装置１ｂを示す図である。図５（ａ）は表示装置１ｂについて図２（ａ）と同様の端面を見た図であり、図５（ｂ）は表示装置１ｂの上面を見た図である。
【００５０】
図５の表示装置１ｂでは、フレキシブルディスプレイ１１ａが保持部１２上で折り位置Ａを挟む両側の部分のそれぞれに設けられており、前記の非表示領域１１１ｂに対応する折り位置Ａ近傍の領域は、フレキシブルディスプレイ自体の配置が省略され、保持部１２が露出した非表示領域１２０となっている。
【００５１】
このように、フレキシブルディスプレイ自体を折り位置Ａを避けて設けることで、フレキシブルディスプレイ１１ａに要求される曲げ耐性は低くなり、従来と同様の材料を用いて必要な曲げ耐性を確保でき、生産設計が容易になる。
【００５２】
また、図６（ａ）の表示装置１ｂ’に示すように、保持部１２’を折り位置Ａの両側の部分１２１に分け、各部分１２１の折り位置Ａ側の端部に端部部材１２２を設け、両端部部材１２２をヒンジ軸１２３を中心として回転可能に接続してもよい。上記の部分１２１はウレタン等の樹脂やゴムにより形成され可とう性を有するが、端部部材１２２等については可とう性を有していなくてもよい。その他、図６（ｂ）の表示装置１ｂ”の保持部１２”に示すように、折り位置Ａの両側の部分１２１を可とう性を有する接続部１２４で接続した構成とすることなども可能である。
【００５３】
［第４の実施形態］
第４の実施形態として、保持部１２の両面にフレキシブルディスプレイを設ける例について説明する。
【００５４】
すなわち、図７（ａ）の表示装置１ｃでは、保持部１２において、フレキシブルディスプレイ１１を設けた面と反対側の面に別のフレキシブルディスプレイ１５が設けられる。このフレキシブルディスプレイ１５は、フレキシブルディスプレイ１１と同様のものであり、折り位置Ａの近傍および折り位置Ａの両側の部分に渡って設けられた１枚の面状のディスプレイである。
【００５５】
この表示装置１ｃでは、コントローラの制御により、実際の本のようにコンテンツのタイトルなどの表紙画像をフレキシブルディスプレイ１５に表示させ、これを表紙とすることができる。表紙画像は予めコンテンツと紐づけて記憶されており、図３（ａ）に示すように左から右にページを進めるコンテンツの場合、フレキシブルディスプレイ１５において折り位置Ａの左側の部分に表示し、図３（ｂ）に示すように右から左にページを進めるコンテンツの場合、フレキシブルディスプレイ１５において折り位置Ａの右側の部分に表示するようにしておく。これにより、実際の本と同じ部分を表紙とすることができる。逆側の部分にはコンテンツの裏表紙画像を表示させることもできる。フレキシブルディスプレイ１５は前記と同様、折り位置Ａの近傍を非表示領域とすることもできる。あるいはこの部分に背表紙画像を表示させるようにしてもよい。
【００５６】
また図７（ｂ）の表示装置１ｃ’では、保持部１２のフレキシブルディスプレイ１１を設けた面と反対側の面において、２つのフレキシブルディスプレイ１５ａが折り位置Ａを挟んだ両側の部分に設けられる。
【００５７】
この表示装置１ｃ’でも、上記と同様、コンテンツに応じて、折り位置Ａの両側の部分のフレキシブルディスプレイ１５ａのどちらか一方に、コンテンツのタイトルなどの表紙画像を表示させ、表紙とすることができる。またこの場合、前記と同様、フレキシブルディスプレイ１５ａに要求される曲げ耐性を低くすることができる。その他、表示装置に表紙画像を表示させる方法としては、例えば保持部１２を透明のものとしておき、表紙画像をフレキシブルディスプレイ１１で表示させ、保持部１２のフレキシブルディスプレイ１１を設けた面とは反対側の面から視認できるようにすることなども考えられる。
【００５８】
［第５の実施形態］
第５の実施形態として、表示装置のフレキシブルディスプレイに表示していたページを記憶する例について説明する。
【００５９】
すなわち、図８（ａ）の表示装置１ｄには紐状のしおり１６（紐状体）が設けられており、ユーザは現在表示しているコンテンツのページを記憶させたい時、しおり１６を表示装置１ｄのフレキシブルディスプレイ１１上に載置し、図８（ｂ）のように折り位置Ａの両側の部分を折り畳んで閉じる。
【００６０】
表示装置１ｄのフレキシブルディスプレイ１１にはセンサが設けられており、当該センサによりフレキシブルディスプレイ１１上のしおり１６を検知できるようになっている。しおり１６の検知方法は特に限定されず、例えばしおり１６に電極を設けるなどして、フレキシブルディスプレイ１１に設けた電極（センサ）と接触して一定時間通電することによりしおり１６を検知することができる。
【００６１】
表示装置１ｄのコントローラは、上記のようにしおり１６を検知すると、直前に表示していたコンテンツのページを記憶し、次回表示装置１ｄで再度同じコンテンツを表示させるときには、記憶したページを表示させる。これにより、ユーザは当該ページから読み進めることができる。
【００６２】
一方、図９（ａ）の表示装置１ｄ’では、保持部１２のフレキシブルディスプレイ１１を設けた面と反対側の面に、シート１７が設けられている。シート１７の両側端部１７１は折り畳んで保持部１２の下面側に収められている。ユーザは現在表示しているコンテンツのページを記憶させたい時、シート１７の側端部１７１を引き出して図９（ｂ）に示すように表示装置１ｄ’のフレキシブルディスプレイ１１上に載置し、図９（ｃ）に示すように折り位置Ａの両側の部分を折り畳んで閉じる。
【００６３】
この場合も、表示装置１ｄ’は、フレキシブルディスプレイ１１に設けたセンサによりフレキシブルディスプレイ１１上のシート１７を検知できるようになっている。表示装置１ｄ’のコントローラは、シート１７を検知すると、直前に表示していたコンテンツのページを記憶し、次回表示装置１ｄ’で再度同じコンテンツを表示させるときには、当該ページを表示させる。なお、シート１７の検知方法は特に限定されず、例えば前記と同様の構成により、一定時間の通電によるシート１７の検知を行うことができる。
【００６４】
このように、しおり１６を用いてページの記憶を行ったり、ブックカバーのようにシート１７を用いてページの記憶を行ったりすることができ、いずれの場合も、ページをどこまで読み進んでいたかの記憶を実際の本のように行うことができる。どのような構成とするかは操作性などを勘案して適宜定めることができる。
【００６５】
［第６の実施形態］
第６の実施形態として、保持部を折り位置Ａの近傍にのみ設ける例について説明する。
【００６６】
すなわち、図１０（ａ）の表示装置１ｅでは、折り位置Ａの近傍のみに保持部１２ａが設けられ、折り位置Ａの両側の部分には保持部が存在せず、可とう性を有するフレキシブルディスプレイ１１のみの構成となっている。
【００６７】
保持部１２ａは略Ｕ字状の形状を有し、その溝部分にフレキシブルディスプレイ１１が所定の曲率半径で屈曲した状態で保持され、パンフレットなどの冊子のような形となる。なお、保持部の形状は特に限定されず、図１０（ｂ）の表示装置１ｅ’の保持部１２ｂに示すように略Ｖ字状のものとし、その溝部分でフレキシブルディスプレイ１１を所定の折り曲げ角で屈曲した状態で固定し、保持することもできる。
【００６８】
これらの例では、表示装置が、パンフレット等の冊子のようなシンプルな薄厚の構成となる。また保持部１２ａ、１２ｂは前記の保持部１２と異なり、可とう性を有していなくともよい。
【００６９】
さらに、図１０（ｃ）の表示装置１ｅ”に示すように、保持部１２ｃを、上方に開口１２５ａを有するケーシング１２５内に円柱体１２６を納めたものとし、円柱体１２６の周囲に円周状の空間１２７が形成されるようにしてもよい。フレキシブルディスプレイ１１はこの空間１２７内で円周状に配置されてループ部分を形成し、その両側を開口１２５ａから出すようにして保持される。この例では、フレキシブルディスプレイ１１が折り位置Ａの近傍において曲率半径が大きくなるように曲げて保持されるので、フレキシブルディスプレイ１１に大きな曲げ耐性は要求されず、フレキシブルディスプレイ１１に必要な曲げ耐性を容易に実現できる。
【００７０】
［第７の実施形態］
図１１は第７の実施形態の表示システム１０について示す図であり、この表示システム１０では、外部の携帯端末２を表示装置１に接続して用いる。
【００７１】
携帯端末２は制御部、記憶部、入力部、表示部等を有するコンピュータによって実現でき、表示装置１への操作入力の受付け、コンテンツの記憶、表示するコンテンツの選択などがこの携帯端末２からできるようになっている。
【００７２】
本実施形態では、表示装置１側でコンテンツを記憶したり操作入力をしたりする必要が無いので、表示装置１の構成が簡単なものとなり、表示装置１を軽量化することができ柔軟性なども実現しやすい。また、携帯端末２をネットワークに接続することで、コンテンツの購入、携帯端末２へのダウンロード等も可能である。携帯端末２は表示システム１０に用いる専用端末であってもよいし、スマートフォン、タブレット端末などの汎用端末に専用のアプリケーションをインストールして用いることもできる。
【００７３】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７４】
１、１ａ、１ａ’、１ａ”、１ｂ、１ｂ’、１ｂ”、１ｃ、１ｃ’、１ｄ、１ｄ’、１ｅ、１ｅ’、１ｅ”；表示装置
２；携帯端末
１０；表示システム
１１、１１ａ、１５、１５ａ；フレキシブルディスプレイ
１２、１２’、１２”、１２ａ、１２ｂ、１２ｃ；保持部
１３；ボタン
１３ａ；タッチパネル
１３ｂ；センサ
１６；しおり
１７；シート
１１１；表示部
１１２；加飾部
１１１ａ；表示領域
１１１ｂ、１２０；非表示領域
【図１】
2017187669.tif 000003
【図２】
2017187669.tif 000004
【図３】
2017187669.tif 000005
【図４】
2017187669.tif 000006
【図５】
2017187669.tif 000007
【図６】
2017187669.tif 000008
【図７】
2017187669.tif 000009
【図８】
2017187669.tif 000010
【図９】
2017187669.tif 000011
【図１０】
2017187669.tif 000012
【図１１】
2017187669.tif 000013